(57)【要約】  送信信号を伝送する１つまたは複数の既存の周波数チャネルまたは周波数帯域に亘って通信信号を送信するための装置（１０）が開示されている。本装置は、少なくとも１つの既存の周波数チャネルまたは周波数帯域を、前記少なくとも１つの既存の周波数チャネルまたは周波数帯域により伝送される送信信号の強度に関連する情報と共に記憶するためのメモリを備える。制御手段（２４）は、既存の周波数チャネルまたは周波数帯域のうちの少なくとも１つに亘って、前記既存のチャネルまたは帯域により伝送される送信信号にのせて放送するに足る強度で送信されるべき通信信号を発生させるように構成される。ミキサ（２６）は、制御手段（２４）が発生させた各通信信号を受信し、かつ前記通信信号を結合して結合された混合通信信号（１５）にするように構成される。送信機（１６）は、少なくとも１つの既存の周波数チャネルまたは周波数帯域に亘って送信されるべき結合された混合通信信号（１５）を、少なくとも１つの既存の周波数チャネルにより伝送される送信信号の代わりに、またはこれに加えて送信する。【選択図】図１
2017511010.tif 000002
【特許請求の範囲】
【請求項１】
送信信号を伝送する１つまたは複数の既存の周波数チャネルまたは周波数帯域に亘って通信信号を送信するための装置であって、
少なくとも１つの既存の周波数チャネルまたは周波数帯域を、前記少なくとも１つの既存の周波数チャネルまたは周波数帯域により伝送される前記送信信号の強度に関連する情報と共に記憶するためのメモリと、
既存の周波数チャネルまたは周波数帯域のうちの少なくとも１つに亘って、前記既存のチャネルまたは帯域により伝送される前記送信信号にのせて放送するに足る強度で送信されるべき通信信号を発生させるように構成されている制御手段と、
前記制御手段が発生させる前記通信信号の各々を受信し、かつ前記通信信号を結合して結合された混合通信信号とするように構成されているミキサと、
前記少なくとも１つの既存の周波数チャネルまたは周波数帯域に亘って送信されるべき前記結合された混合通信信号を、前記少なくとも１つの既存の周波数チャネルにより伝送される前記送信信号の代わりに、またはこれに加えて送信するための送信機と、
を備えていることを特徴とする装置。
【請求項２】
前記制御手段は、前記少なくとも１つの既存の周波数チャネルまたは周波数帯域毎に前記通信信号を発生させるマルチチャネル変調器手段を備える、請求項１に記載の装置。
【請求項３】
前記制御手段は、前記通信信号を送信する専用の１つまたは複数のフリーチャネルまたはフリー帯域を画定するように構成され、前記専用の１つまたは複数のフリー周波数チャネルまたはフリー帯域は、既存の周波数チャネルまたは周波数帯域に関連していない、請求項２に記載の装置。
【請求項４】
前記専用の１つまたは複数のフリー周波数チャネルまたはフリー帯域は、前記メモリに記憶される、請求項３に記載の装置。
【請求項５】
前記マルチチャネル変調器は、ソフトウェア無線として機能するマルチチャネルデジタル変調器である、請求項２に記載の装置。
【請求項６】
前記ミキサは、前記通信信号の各々を結合して結合された混合通信信号にするマルチキャリアコンバイナ（ＭＣＣ）を備える、請求項１に記載の装置。
【請求項７】
前記送信機は、前記結合された混合通信信号を送信するためのアンテナを備える、請求項１〜６のいずれか１項に記載の装置。
【請求項８】
前記アンテナは、さらに、前記制御手段による処理のために１つまたは複数の受信信号を受信するように構成される、請求項７に記載の装置。
【請求項９】
前記制御手段は、前記アンテナからの前記１つまたは複数の受信信号を処理するように、かつ前記１つまたは複数の受信信号内に存在する送信信号を伝送する何れかの既存の周波数チャネルまたは周波数帯域の存在を識別するように構成される、請求項８に記載の装置。
【請求項１０】
前記制御手段は、前記１つまたは複数の識別された既存の周波数チャネルまたは周波数帯域を前記メモリに、前記１つまたは複数の識別された既存の周波数チャネルまたは周波数帯域によって伝送される前記送信信号の検出された強度と共に記憶するように構成される、請求項９に記載の装置。
【請求項１１】
通信信号を１つまたは複数の既存の無線チャネルに亘って送信する方法であって、
前記１つまたは複数の既存の周波数チャネルまたは周波数帯域の周波数および信号強度を確立する工程と、
前記既存の周波数チャネルまたは周波数帯域毎に通信信号を発生させる工程であって、前記通信信号が、対象である聞き手により受信されるべき前記既存の周波数チャネルまたは周波数帯域にのせて放送されるように構成されることを特徴とする、通信信号を発生させる工程と、
既存の周波数チャネルまたは周波数帯域毎の前記通信信号を混合して、結合された混合通信信号を発生させる工程と、
前記結合された混合通信信号を前記１つまたは複数の既存の周波数チャネルまたは周波数帯域に亘って送信する工程と、
を備えていることを特徴とする方法。
【請求項１２】
前記１つまたは複数の既存の周波数チャネルまたは周波数帯域の周波数および信号強度を確立する工程は、無線信号を受信することと、前記受信された無線信号を、前記１つまたは複数の既存の周波数チャネルに渡る信号送信の存在について分析することと、を含むことを特徴とする請求項１１に記載の方法。
【請求項１３】
前記検出された１つまたは複数の既存の周波数チャネルまたは周波数帯域を各々、メモリに、前記１つまたは複数の検出された既存の周波数チャネルまたは周波数帯域によって伝送される前記信号送信の前記検出された信号強度と共に記憶する工程をさらに含むことを特徴とする請求項１２に記載の方法。
【発明の詳細な説明】
【技術分野】
【０００１】
関連出願
本出願は、２０１４年２月４日に提出されたオーストラリア仮特許出願第２０１４９００３２４号に対する優先権を主張するものであり、その内容は全て参照により本開示に組み込まれる。
【０００２】
発明の分野
本発明は、個人へ情報を伝達するための情報通信システムに関し、具体的には、移動式または静止式に使用されることが可能であって、通信デバイスを介して個人に情報を伝達するためにその個人を選択的に対象（ｔａｒｇｅｔ）とすることができる情報通信システムに関する。
【背景技術】
【０００３】
当局または政府機関にとって、一般住民と通信するための効果的な通信システムを提供する能力は、優れた統治および公衆安全にとって欠かせない。このような通信システムによって伝達されるべき情報の種類は、公共サービスおよびこれに類似するものの変更に関する通常の更新から、災害の可能性の警報および避難情報に関する重要な情報まで多様であり得る。伝達されるべき情報の種類が何であれ、課題は、情報を、このような情報を必要とする関連の個人または個人グループを対象として、これらの対象のグループまたは個人が所有している一般的な通信デバイスにより受信可能な方法で伝達できるシステムを提供することにある。
【０００４】
この点に関連して、目的に即した様々な放送システムが提案されているが、成功度は一様ではない。メッセージを広域へ無差別に放送することができる放送システムは、メッセージを大集団へ伝達する能力を有する。しかしながら、メッセージに関連する可能性のある人々がその集団の中の少数でしかない状況では、このような放送システムが、メッセージに関係のない個人に過度の懸念および／またはパニックを生じさせる可能性があり、これにより、救急サービスが妨害され、かつ一般住民の間に混乱が生じる可能性がある。提案されている多くの放送システムに付随する別の問題点は、それらが、対象の個人による、放送される情報を受信して解読するための専用機器の購入に依存していることにある。故に、適切な機器にアクセスしない一部の個人は、放送される情報を受信してそれに対応することができず、重要な情報を普及させるための伝達手段としてのシステムの有効性が大幅に低減される。
【０００５】
さらに、情報を放送する必要性は、多くの場合、山火事、サイクロン、津波、テロリストによる攻撃またはこれらに類似するもの等の大惨事または天災の結果によるものであることから、提案されているほとんどの通信システムは、メッセージの伝達を容易にするために、送電塔または携帯電話用鉄塔等の大量の既存インフラの存在に大きく依存している。しかしながら、天災またはこれに類似するものが発生した場合、このようなインフラストラクチャは損傷される、または効果を失っていると判断されることが多く、よって、一般住民へ重要なメッセージを伝達するためのこのようなシステムの有効性は、著しく低下する。
【０００６】
警報信号を放送するためのシステムおよび装置は、本件出願人によって開発されていて、参照により内容が本開示に組み込まれる国際特許出願ＰＣＴ／ＡＵ２００２／００７９６（特許文献１）に開示されている。このシステムは、概ね、緊急車両がその緊急車両の存在に近接している、または今後近接する関連する個人に警告しかつこれらの対象の個人に個人の無線デバイスまたは類似の電子デバイスを介して採るべき行動を知らせる録音済みメッセージを放送することができる手段を提供することに関する。このようなシステムおよび装置は、緊急車両を包囲する近接領域内の全ての関連する無線チャネル（ｒａｄｉｏ  ｃｈａｎｎｅｌ、無線周波数帯）を識別してこれらの各無線チャネル上へ、無線チャネル上へ関連の警報メッセージを規定距離に亘って「のせて放送する（ｏｖｅｒ−ｂｒｏａｄｃａｓｔ）」に足る強度の信号を送信し、これにより警告は、集団の全員へ無差別にではなく、集団における関連メンバに対して行われる。このようなシステムは、緊急車両と接触することになり得る集団または地理的エリアの所望されるグループを対象とするように制御されることが可能であって、メッセージを配信するために、カーラジオおよび家庭のラジオ等の既存デバイスを用いる。
【０００７】
本件出願人による上述の先行技術システムは、緊急車両メッセージを緊急車両の経路内、または近接して存在する個人へ送信するための有効な手段であることが証明されている。しかしながら、例えば山火事等の天災の場合、山火事の最前線に対するこれらの個人の位置に依存して、集団の様々な異なる領域に亘って様々な異なるメッセージを送信する必要があり得る。このようなメッセージは、個人の注意を喚起して火災の存在を通知する一般的な警報から、避難メッセージおよび他のより差し迫った警報まで多様であり得る。このような例における、関連領域内に存在する個人の安全にとって最も基本的なことは、その差し迫った必要性に最も関連のある適切な対策を実行するために、個々の状況に従って、メッセージの発信源から最も適切なメッセージを受信することである。さらに、このようなシステムは、典型的には遠隔領域において使用されることから、運搬が容易であって設定および据付けが容易なサイズおよび形状である、かつ電力の要件が低くデバイスが既存の電力供給に依存する必要がない、より効率的なデバイスを提供する必要がある。
【０００８】
したがって、緊急車両およびこれに類似するものを使用するために、動的に、ならびに必要に応じて沿道の警報および地域限定警報を発するべく固定的に使用されることが可能な緊急警報システムを提供することが必要とされている。また、メッセージを必要に応じてユーザの既存のラジオまたは個人的な電子デバイスで受信されるべく放送できるように、ある場所に単純かつ効率的な据付けが可能な、かつ身体障害またはこれに類似するものの結果として特殊なニーズのあり得る個人に対して個人的な警報を発する能力を有する緊急警報システムを提供することも必要とされている。
【０００９】
上述の従来の提案または製品に関する言及および記述は、当技術分野で一般的な知識の陳述または認定を意図するものではなく、よってそのように解釈されるべきではない。具体的には、先行技術に関する上述の論考は、当業者によって一般的に知られる、または当業者に既知である内容に関連するものではなく、先行技術による関連提案の識別がその一部を構成している本発明の進歩性を理解する上で手助けとなるものである。
【先行技術文献】
【特許文献】
【００１０】
【特許文献１】国際出願ＰＣＴ／ＡＵ２００２／００７９６号の明細書
【発明の概要】
【発明が解決しようとする課題】
【００１１】
発明の記載
１つまたは複数の側面による本発明は、独立請求項に記載されている通りである。従属請求項には、本発明の幾つかの必須ではない選択的な特徴および／または好適な特徴が記載されている。
【００１２】
したがって、本発明の一側面では、送信信号を伝送する１つまたは複数の既存の周波数チャネルまたは周波数帯域に亘って通信信号を送信するための装置が提供されており、本装置は、
少なくとも１つの既存の周波数チャネルまたは周波数帯域を、前記少なくとも１つの既存の周波数チャネルまたは周波数帯域により伝送される送信信号の強度に関連する情報と共に記憶するためのメモリと、
既存の周波数チャネルまたは周波数帯域のうちの少なくとも１つに亘って、前記既存のチャネルまたは帯域により伝送される送信信号にのせて放送するに足る強度で送信されるべき通信信号を発生させるように構成されている制御手段と、
前記制御手段が発生させた各通信信号を受信し、かつ前記通信信号を結合して結合された混合通信信号とするように構成されているミキサ（ｍｉｘｅｒ、混合器、調整器）と、
少なくとも１つの既存の周波数チャネルまたは周波数帯域に亘って送信されるべき前記結合された混合通信信号を、少なくとも１つの既存の周波数チャネルにより伝送される送信信号の代わりに、またはこれに加えて送信するための送信機と、を備えている。
【００１３】
ある実施形態において、制御手段は、少なくとも１つの既存の周波数チャネルまたは周波数帯域毎に通信信号を発生させるマルチチャネル変調器手段（ｍｏｄｕｌａｔｏｒ  ｄｅｖｉｃｅ、変調用デバイス）を備えてもよい。
【００１４】
制御手段は、通信信号を送信する専用の１つまたは複数のフリーチャネルまたはフリー帯域を画定（ｄｅｆｉｎｅ、規定）するように構成されることができる。専用の１つまたは複数のフリー周波数チャネルまたはフリー帯域は、既存の周波数チャネルまたは周波数帯域に関連していなくてもよい。専用の１つまたは複数のフリー周波数チャネルまたはフリー帯域は、メモリに記憶されることができる。
【００１５】
マルチチャネル変調器は、ソフトウェア無線として機能するマルチチャネルデジタル変調器であってもよい。
【００１６】
ミキサは、各通信信号を結合して結合された混合通信信号にするマルチキャリアコンバイナ（ＭＣＣ、ｍｕｌｔｉ  ｃａｒｒｉｅｒ  ｃｏｍｂｉｎｅｒ、多重搬送結合器）を備えてもよい。
【００１７】
送信機は、結合された混合通信信号を送信するためのアンテナを備えることができる。アンテナは、さらに、制御手段による処理のために１つまたは複数の受信信号を受信するように構成されることができる。
【００１８】
制御手段は、アンテナからの１つまたは複数の受信信号を処理するように、かつこの１つまたは複数の受信信号内に存在する送信信号を伝送する何れかの既存の周波数チャネルまたは周波数帯域の存在を識別するように構成されることができる。
【００１９】
制御手段は、１つまたは複数の識別された既存の周波数チャネルまたは周波数帯域をメモリに、１つまたは複数の識別された既存の周波数チャネルまたは周波数帯域によって伝送される送信信号の検出された強度と共に記憶するように構成されることができる。
【００２０】
したがって、本発明の別の側面では、通信信号を１つまたは複数の既存の無線チャネルに亘って送信する方法が提供される。
本方法は、
１つまたは複数の既存の周波数チャネルまたは周波数帯域の周波数および信号強度を確立する工程と、
前記既存の周波数チャネルまたは周波数帯域毎に通信信号を発生させる工程であって、前記通信信号が、対象である聞き手により受信されるべき前記既存の周波数チャネルまたは周波数帯域にのせて放送されるように構成されていることを特徴とする、通信信号を発生させる工程と、
既存の周波数チャネルまたは周波数帯域毎の通信信号を混合して、結合された混合通信信号を発生させる工程と、
結合された混合通信信号を１つまたは複数の既存の周波数チャネルまたは周波数帯域に亘って送信する工程と、を備えている。
【００２１】
前記１つまたは複数の既存の周波数チャネルまたは周波数帯域の周波数および信号強度を確立する工程は、無線信号を受信することと、受信された無線信号を、１つまたは複数の既存の周波数チャネルに渡る信号送信の存在について分析することと、を含むことができる。
【００２２】
検出された１つまたは複数の既存の周波数チャネルまたは周波数帯域は各々、メモリに、１つまたは複数の検出された既存の周波数チャネルまたは周波数帯域によって伝送される信号送信の検出された信号強度と共に記憶されることができる。
【００２３】
本発明は、好適な実施形態に関する以下の限定的ではない説明から、より良く理解することが可能である。
【図面の簡単な説明】
【００２４】
【図１】本発明の一実施形態による装置を描いたブロック図である。
【図２】図１の装置において使用するための制御手段の配置を描いたブロック図である。
【発明を実施するための形態】
【００２５】
ここに、特に添付の図面を参照して、本発明の好ましい機能について説明する。しかしながら、図面に示されかつ図面を参照して記述される特徴が、本発明の範囲を限定するものとして解釈されるべきでない点を理解すべきである。
【００２６】
本発明は、本願出願人の以前の出願であって、参照により内容が本願に組み込まれる国際出願ＰＣＴ／ＡＵ０２／００７９６号の中に記載されている、稼働方法の類似した原理の用途に関連して記述される。
【００２７】
この点に関連して、本発明は、典型的には事前に録音された警報信号である警報信号を、既定の放送領域における対象の個人により受信され得る幾つかの既定の無線周波数帯域またはチャネルに亘って放送するように設計される。放送領域が、予め決められた任意のサイズのあらゆる領域であってもよく、かつ、大体において、放送されつつある情報に直に関連する人のグループを識別するように選択されることは、認識されるであろう。人のこのグループは、伝達されるべき具体的なメッセージに依存して、一人または複数の個人から百万名を超える集団にまで至る可能性もある。
【００２８】
本発明のシステムおよび装置を用いて警報信号を放送するために、システムは、特有の領域において信号を送信し得る、既存の公衆または商用の無線チャネル等の何れかの既存の周波数帯域または周波数チャネルだけでなく、この帯域またはチャネル内で伝送される送信信号の強度をも識別することが必要である。本システムおよび装置は、次に、警報信号が特有の領域内の通常の無線信号に代えて、またはこれに加えて聴き取れるように、この既存の周波数帯域または周波数チャネルを利用して、緊急信号をそのチャネルまたは帯域に関連づけられる通常の信号強度より大きい出力レベルで放送してその信号に「のせて放送する（ｏｖｅｒ−ｂｒｏａｄｃａｓｔ）」、または「オーバーライドする（ｏｖｅｒｒｉｄｅ、優先される別の指定をすることにより変更する）」ことができる。緊急信号のこの送信領域は、「のせて放送する」信号の強度に依存する。
【００２９】
本発明によるシステムは、先行技術による、送信信号が全ての人々に無差別に受信されるように、通常、メッセージを全周波数に亘ってより高いレベルで、本発明の場合のように選択された対象である聞き手向けではなく送信する「無線妨害装置」技術とは大幅に異なる。当業者には認識されるであろうが、本発明は、個々の警報メッセージを、かつて既存の無線信号が検出されたことのない既定の無線周波数で送信することもできる。これにより、個人は、緊急事態に関連づけられる警報信号を受信するために常時、定期的または緊急時に監視し得る緊急信号放送専用の固有周波数を指定することができる。本発明が、既存の信号が検出されるか否かに関わらず、信号を既定の出力レベルで送信するためのシステムも提供できることは、認識されるであろう。
【００３０】
図１を参照すると、本発明の情報通信システムにおいて用いるための装置１０の概略ブロック図が描かれている。装置１０は、通常、無線信号を受信する、またはその存在を検出するためのアンテナ１１を備え、前記無線信号は、次に、受信機１２によって処理されて検出信号１３を発生させ、検出信号１３は、制御手段１４へ供給されてさらに処理される。
【００３１】
制御手段１４は、典型的にはマイクロプロセッサの形式であり、検出信号１３を分析して、装置１０の近傍で送信するあらゆる既存の無線チャネルの存在、および検出された周波数チャネルまたは周波数帯域の各々で送信される信号の強度を識別する。検出されたチャネルまたは帯域の数は、次に、制御手段１４内に設けられているメモリに、測定された各信号の強度と共に記憶される。装置１０が固定位置で使用される事例では、信号を伝送する周波数チャネルまたは周波数帯域の数および／または各チャネルまたは帯域により伝送される信号の強度の分析が、絶えず実行される必要のないことは認識されるであろう。このようなアプリケーションにおいて、こうした分析は、装置のセットアップ時点で最初に実行されてもよく、かつ事例によっては、装置１０は、この情報を使用に先立って制御手段１４のメモリに予め記憶しておくことができる。
【００３２】
装置１０の使用方法に関わらず、制御手段１４は、まず、領域内で放送されるアクティブな周波数チャネルまたは周波数帯域、およびこれらの周波数チャネルまたは周波数帯域によって伝送される送信信号の強度に関する詳細をプログラムされる。次に、遠隔地から送信信号を受信した時点、または救急サービスまたは緊急対策当局によりデバイスが手動で起動された時点で、制御手段１４は、緊急信号送信機能を起動することができる。
【００３３】
緊急信号送信機能により、制御手段１４は、検出された各周波数チャネルまたは周波数帯域に亘って、ならびに後に詳述するように、制御手段１４内にプログラムされている他の任意の記憶されたチャネル周波数に亘って送信するための信号を発生させる。信号１５は、典型的には、送信されるべき情報、ならびに送信信号を伝送すべき周波数チャネルまたは周波数帯域を識別するデータ、および送信されるべき信号の強度を含む。この信号１５は、送信機１６へ供給され、アンテナ１７を介して放送される。
【００３４】
制御手段１４が発生させる信号１５は、識別された無線チャネルにより伝送される信号の通常の信号強度を超える出力レベルで送信される。この出力レベルが、識別された無線チャネルの通常の信号出力レベルを超える量は、制御手段１４によって、信号送信距離が所望される、または対象とされる聞き手に達するに足るものであることを保証するように決定される。この送信領域内の個人は、次に、そのラジオを通常の無線局または専用の緊急無線局または周波数チャネルへ同調させて装置からメッセージを受信することができる。あるいは、個人が制御手段１４のメモリにパーソナルチャネル（個人用の周波数帯、通信路）を記憶させていれば、個々のの個人用デバイス（ｉｎｄｉｖｉｄｕａｌ‘ｓ    ｐｅｒｓｏｎａｌ  ｄｅｖｉｃｅ）が制御信号によって起動され、メッセージが直接個人へ表示または送信される。
【００３５】
図２には、この緊急送信機能を実行するように制御手段１４を構成する方法が描かれている。
【００３６】
図示されているように、検出信号１３は、まず、受信信号１３からあらゆる望ましくない周波数成分を取り除きかつ検出された無線チャネルまたは無線周波数に関連する周波数成分等の所望される成分を強化するように機能する可変ノッチフィルタ等のフィルタ２０によって受信される。このフィルタ２０は、次に、強化された信号２０ａを発生させ、これがスペクトラムアナライザ２１へ供給される。
【００３７】
スペクトラムアナライザ２１は、強化された信号２０ａを処理して、周波数範囲全体に亘る、周波数に対する強化信号の成分の大きさを測定する。強化された信号２０ａ内に存在する支配的な周波数信号を測定することにより、装置の近傍で送信信号を伝送する特有の無線チャネルまたは無線帯域を、検出された各チャネルまたは帯域内で伝送される送信信号の大きさまたは強度と共に識別しかつ記録することができる。フィードバック制御の度合いを提供しかつ周波数応答の望ましくないシフトを考慮するために、図示されているように、ループ利得補償器２２が提供されていてもよい。
【００３８】
検出されたチャネル情報は、次に、制御コンピュータ２４内に設けられる不揮発性メモリに記憶される。制御コンピュータ２４は、様々な情報を、関連の管理当局により作成される予め録音されたメッセージまたはテキストと共に記憶するように構成されてもよく、かつ所望されれば、固定電話または無線電話およびデータシステムによる遠隔コマンドおよび制御を促進するために、例えばＧＰＳ、ＧａｌｉｌｅｏまたはＧＬＯＮＡＳＳシステムである位置測位システム等の様々な他のシステムとインタフェースするように構成されることができる。
【００３９】
制御コンピュータ２４は、記憶された緊急信号の既定の対象エリアに渡る送信を開始するための信号を受信することができる。このような信号は、遠隔に位置決めされた救急サービスまたは緊急対策当局によって送信されてもよく、かつアンテナ１１により受信されて制御コンピュータ２４により分離処理されることができる。緊急信号の開始を受信すると、制御コンピュータは、記憶されたメッセージから適切なメッセージを選択し、かつ送信されるべき情報の種類および必要な受信可能範囲の広さ（ｂｒｅａｄｔｈ  ｏｆ  ｃｏｖｅｒａｇｅ、有効範囲の広さ）に基づいて関連の緊急信号を発生させることができる。
【００４０】
ソフトウェア無線の形式であってもよいマルチチャネルデジタル変調器２５は、検出された無線チャネルならびに制御コンピュータ２４内に記憶されている他の任意の既定チャネルの各々に渡る緊急信号を処理することができる。発生させる信号は、各々、発信当局（ｏｒｉｇｉｎａｔｉｎｇ  ａｕｔｈｏｒｉｔｙ）から送信される開始信号に従って装置から所望される送信の有効範囲を達成するに足る強度または出力で処理される。これについては、本件出願人による国際ＰＣＴ出願第ＰＣＴ／ＡＵ０２／００７９６号に記述されている通りであって、以下詳述しない。このデバイスに関して記述される処理技術により、結果的に、複数の周波数に亘って複数の信号２５ａを発生させる。
【００４１】
従来、複数の信号２５ａ内に存在する各ベースバンド信号は、従来のコンバイナ（結合器）を介して結合された後に送信機へ送られてアンテナから送信される。しかしながら、この方法では、信号が結合される度に電力損失が存在し、電力送信を増大させる必要が生じる。その結果、典型的には、このような損失を補償するためにチャネル当たり複数のＤＡＣおよび電力増幅器が要求されてさらに多くのシステム部品が必要となり、装置のコストおよび全体サイズが大幅に増大する可能性がある。
【００４２】
代わりに、本発明では、図２に示されているように、信号２５ａは各々、マルチキャリアコンバイナ（ＭＣＣ）２６によって受信される。ＭＣＣ２６は、個々の信号２５ａを結合して結合された混合送信信号にし、結合された混合送信信号は、次に、増幅されかつ混合信号１５として同時に送信されることが可能である。この混合信号１５は、次に、送信機１６へ供給されることが可能であり、アンテナ１７によって送信される。あるいは、本発明によるシステムは、送信アンテナ１７および検出アンテナ１１が、高周波信号を検出しかつ送信する双方の能力を有する１つの双方向アンテナとして結合されるように構成することができる。
【００４３】
本装置の制御手段１４が、緊急信号を放送するための新しいチャネルを画定すると同時に、のせて放送する（ｏｖｅｒ−ｂｒｏａｄｃａｓｔｉｎｇ）システムを介して警報信号を配信のために既存のチャネルを利用することは認識されるであろう。制御手段１４は、必要に応じて追加機能を提供するために、携帯電話およびこれに類似するもの等の他の媒体とインタフェースするようにも構成される。このようなシステムは、必要に応じて様々な異なるアプリケーションで用いるために、固定的または動的なアプリケーションにインストールされることが可能である。
【００４４】
図１に描かれているように、装置１０は、必要に応じてデバイスへ電力を供給する電源２８を備えることができる。電源は、送電網に接続されてもよく、もしくは送電網を利用せず、バッテリまたは補充可能電源によって給電されてもよい。
【００４５】
本発明による装置が、緊急車両において、永続的構造内に組み合わされて、または必要なときに現場に位置合わせされることが可能なトレーラまたは類似デバイス内に組み込まれて搭載され得ることは認識されるであろう。本装置がどのように据え付けられて使用されるかに関わらず、本デバイスの構成は、デバイスがデータを伝送する利用可能な周波数チャネルまたは周波数帯域を容易に検出でき、よって、緊急メッセージを対象である聞き手へ普及させるべく必要に応じてこれらの既存のチャネルまたは帯域に亘って放送できる単純な手段を提供する。
【００４６】
明細書および請求項を通じて、「を備える」という用語およびその派生語は、反対の内容が明示されていない限り、またはコンテキスト（ｃｏｎｔｅｘｒ、文書内容）が別段の内容を要求しない限り、排他的意味ではなく、包括的な意味を有することが意図されている。即ち、「を備える」という用語およびその派生語は、反対の内容が明示されていない限り、またはコンテキストが別段の内容を要求しない限り、直に参照して記載されている構成要素、工程または特徴だけでなく、具体的に記載されていない他の構成要素、工程または特徴をも包含することを指すものとして理解される。
【００４７】
当業者には、本明細書に記述されている発明の方法に対し、発明の趣旨および範囲を逸脱することなく多くの変更および変形を行い得ることが認識されるであろう。
【図１】
2017511010.tif 000003
【図２】
2017511010.tif 000004
【国際調査報告】
2017511010.tif 000005
2017511010.tif 000006
2017511010.tif 000007